(57)【特許請求の範囲】
【請求項１】
周状の側壁及び底を有する胴部と、
該胴部の内空部が上方に開口する、前記側壁の上方に接続された、前記胴部よりも外径の大きい開口部と、
前記胴部側壁の下部から側方に突き出す、前記内空部と連通する筒状の出側排水管取付部と、
該出側排水管取付部より上方の位置において、前記出側排水管取付部と平面視交差する方向に前記側壁から突き出す、前記内空部と連通する筒状の入側排水管取付部と、
を具備し、
第１の樹脂原料からなるスキン層と第２の樹脂原料からなるコア層とを有する３層以上の硬質塩化ビニル製の排水枡であって、
前記胴部の底の下面のほぼ中心に成形時の樹脂流入口が設けられており、
前記第２の原料の充填率が１０％以上であり、
前記出側排水管取付部の肉厚Ｔ出と、前記入側排水管取付部と前記胴部側壁との接続部の肉厚Ｔ入との比が、Ｔ出：Ｔ入＝１：２．５〜１：４．５であることを特徴とする排水枡。
【請求項２】
周状の側壁及び底を有する胴部と、
該胴部の内空部が上方に開口する、前記側壁の上方に接続された、前記胴部よりも外径の大きい開口部と、
前記胴部の下部から側方に突き出す、前記内空部と連通する筒状の出側排水管取付部と、
該出側排水管取付部より上方の位置において、前記出側排水管取付部と平面視交差する方向に前記側壁から突き出す、前記内空部と連通する筒状の入側排水管取付部と、
を具備し、
第１の樹脂原料からなるスキン層と第２の原料からなるコア層とを有し、第２の樹脂原料の充填率が１０％以上の３層以上の硬質塩化ビニル製の排水枡を製造する方法であって、
前記排水枡の外形を成形する横割り構造の外金型と、前記排水枡の胴部内空部及び前記排水管取付部の内孔を成形する内金型と、を型締めして成形キャビティを形成し、
該成形キャビティの前記胴部底のほぼ中心に当たる部分に樹脂流入口を設け、
前記出側排水管取付部の肉厚Ｔ出と、前記入側排水管取付部と前記胴部側壁との接続部の肉厚Ｔ入との比を、Ｔ出：Ｔ入＝１：２．５〜１：４．５となるように設定し、
前記成形キャビティ内に第１の樹脂原料を射出してスキン層を形成し、
次に、第２の樹脂原料を射出して、前記スキン層に覆われたコア層を形成することを特徴とする排水枡の製造方法。
【発明の詳細な説明】
【技術分野】
【０００１】
本発明は、家庭などから排出される下水の排水管路に装備される排水枡及びその製造方法に関する。特には、再生原料などを原料の一部に使用した層構造の硬質塩化ビニル製排水枡において、その再生原料などのコア層の原料の割合を高くしつつコア層が製品の表面に露出する成形不良（ブレイクスルー）が発生しないように改良した排水枡に関する。
【背景技術】
【０００２】
近年、樹脂製品のスクラップや、使用済み樹脂製品などの廃材の処理が大きな問題となっている。このようなスクラップは、樹脂製の家電製品筺体や管継ぎ手等の建材を射出成形する際などに発生する。特に、合成樹脂管を連続押出成形するプロセスにおいて、成形条件が安定するまでの初期段階では、多量のスクラップが発生する。また、耐用年数が経過して老朽化した合成樹脂管などの廃材も多量に発生している。
【０００３】
このような樹脂スクラップや使用済み廃材は、従来は焼却や埋め立てにより廃棄処分されていた。埋め立て処分する場合は、処分場が少ないことはもちろん、合成樹脂は長期間分解・腐食しないため、環境破壊の問題が生じうるとされている。そこで、このような樹脂スクラップや樹脂廃材を粉砕して、再生原料として利用することが提案されている（例えば、特許文献１、２参照）。
【０００４】
特許文献１には、再生原料を含有する硬質塩化ビニルを中間層として使用した三層管が提案されている。また、本出願人による特許文献２には、改質剤を含有した再生原料を中間層として使用した３層構造の排水枡が提案されている。
【０００５】
このような排水枡の形状の一例を説明する。
図１は、排水枡の形状の一例を示す斜視図である。
この例の排水枡１は、例えば、一般家庭から出る下水を集めて下水本管に送るために使用されるものである。この排水枡１は、胴部３と、胴部３の上方の開口部５と、胴部３の下部から側方に突き出す筒状の出側排水管取付部７を有する。また、この出側排水管取付部７の上方の位置において、胴部３から出側排水管取付部７と平面視交差（この場合は直交）するように側方に突き出す、２個の入側排水管取付部９Ａ及び９Ｂを有する。さらに、出側排水管取付部７と反対方向に突き出す、１個の入側排水管取付部９Ｃと、を有する。
【０００６】
開口部５は受口であり、その内孔には、点検口から延びるパイプ（図示されず）が差し込まれて接続される。このため、開口部５の内面と胴部３の内面との境には、パイプの先端面が当たる内段部４が形成されており、開口部５の内径が胴部３の内径よりも大きくなっている。入側排水管取付部９も受口であり、各々、台所、風呂、トイレなどからの排水管が接続される。出側排水管取付部７は差口であり、その外周には、下水道本管に延びる排水管が接続される。
【０００７】
また、開口部５の外周と胴部３の外周との境には、外段部６が形成されている。つまり、胴部３の外径が開口部５の外径よりも小さくなっており、開口部５の外周が胴部３の外周よりも外側に出っ張る形となっている。これにより、胴部３の径・肉厚を薄くできて、排水枡の重量を軽減できる。
【０００８】
次に、図１に示した排水枡の製法の一例を説明する。
前述のように、開口部５の外周と胴部３の外周との境には、外段部６が存在する。この場合、開口部５が胴部３よりも外側に出っ張る形となり、胴部外周の成形型が上に抜けないため、金型は横割り構造となる。金型を横割り構造とした場合、入側排水管取付部９の外周成形用の金型には抜き勾配を付けなければならないため、入側排水管取付部９の胴部３との接続部分（根元部分９Ｘ、図２（Ｂ）も参照）の肉厚が厚くなる。一方、出側排水管取付部７が差口の場合は外径の寸法規制が厳しく、抜き勾配が小さくなる。また、流路を確保するため内径の寸法をできるだけ大きくする必要がある。このため、出側排水管取付部７は、通常は最も肉厚の薄い部位となっており、最後に樹脂が充填される部位となる。
【０００９】
このように樹脂製排水枡の肉厚が部位によって大きく異なる場合、成形時に樹脂の流動特性が大きく影響を受ける。再生原料を使用した排水枡の場合には、樹脂の流動特性は再生原料の含有率にも影響される。再生原料の含有率を高くすると、前述の樹脂廃材の再利用等の点で好ましく、原料費を抑えることができる。しかし、再生原料の含有率を上げた場合、樹脂の流動状態によっては、再生原料が製品の表面に露出する成形不良（ブレイクスルー）が発生することがある。また、前述のように、出側排水管取付部７は最後に樹脂が充填される部位であるため、成形時に樹脂が流れ込み難く、ブレイクスルーが発生しやすいという問題もある。
【００１０】
【特許文献１】特開２００１−４１３６２
【特許文献２】特開２００４−６０１５８
【発明の開示】
【発明が解決しようとする課題】
【００１１】
本発明は上記の問題点に鑑みてなされたものであって、肉厚方向に３層構造の硬質塩化ビニル樹脂製の排水枡において、再生原料などのコア部の原料の充填率を高くしつつ該原料が製品の表面に露出する成形不良（ブレイクスルー）が発生しないように改良した排水枡およびその製造方法を提供することを目的とする。
【課題を解決するための手段】
【００１２】
本発明の排水枡は、  周状の側壁及び底を有する胴部と、  該胴部の内空部が上方に開口する、前記側壁の上方に接続された、前記胴部よりも外径の大きい開口部と、  前記胴部側壁の下部から側方に突き出す、前記内空部と連通する筒状の出側排水管取付部と、  該出側排水管取付部より上方の位置において、前記出側排水管取付部と平面視交差する方向に前記側壁から突き出す、前記内空部と連通する筒状の入側排水管取付部と、具備し、  第１の樹脂原料からなるスキン層と第２の樹脂原料からなるコア層とを有する３層以上の硬質塩化ビニル製の排水枡であって、  前記胴部の底の下面のほぼ中心に成形時の樹脂流入口が設けられており、  前記第２の原料の充填率が１０％以上であり、  前記出側排水管取付部の肉厚Ｔ出と、前記入側排水管取付部と前記胴部側壁との接続部の肉厚Ｔ入との比が、Ｔ出：Ｔ入＝１：２．５〜１：４．５であることを特徴とする。
【００１３】
樹脂製排水枡の肉厚が部位によって大きく異なる場合、成形時に樹脂の流動特性が大きく影響を受ける。再生原料を使用した排水枡の場合には、樹脂の流動特性は再生原料の含有率にも影響される。再生原料の含有率を上げた場合、樹脂の流動状態によっては、再生原料が製品の表面に露出する成形不良（ブレイクスルー）が発生することがある。また、出側排水管取付部は最後に樹脂が充填される部位であるため、成形時に樹脂が流れ込み難く、ブレイクスルーが発生しやすいという問題もある。
【００１４】
そこで、出側排水管取付部の肉厚Ｔ出と、入側排水管取付部の胴部との接続部の肉厚Ｔ入との比を、Ｔ出：Ｔ入＝１：２．５〜１：４．５と設定することにより、再生原料（第２の樹脂原料）の含有率を比較的高くした場合（約１０％以上）でも、入側排水管取付部及び出側排水管取付部へ、量的及び時間的にバランスよく樹脂（再生原料を含む）が充填される。このため、再生原料の含有率を上げた場合でも、スキン層（外面及び内面）に再生原料が露出しない（ブレークスルーが起こらない）ように成形できる。
【００１５】
なお、前述の特許文献２の排水枡は、胴部の外径が開口部の外径と同じタイプのものであって、金型の割構造が縦割りとなるため、そもそも本件発明の前提となる問題は生じない。
【００１６】
本発明の排水枡の製造方法は、  周状の側壁及び底を有する胴部と、  該胴部の内空部が上方に開口する、前記側壁の上方に接続された、前記胴部よりも外径の大きい開口部と、  前記胴部の下部から側方に突き出す、前記内空部と連通する筒状の出側排水管取付部と、  該出側排水管取付部より上方の位置において、前記出側排水管取付部と平面視交差する方向に前記側壁から突き出す、前記内空部と連通する筒状の入側排水管取付部と、を具備し、  第１の樹脂原料からなるスキン層と第２の原料からなるコア層とを有し、第２の樹脂原料の充填率が１０％以上の３層以上の硬質塩化ビニル製の排水枡を製造する方法であって、  前記排水枡の外形を成形する横割り構造の外金型と、前記排水枡の胴部内空部及び前記排水管取付部の内孔を成形する内金型と、を型締めして成形キャビティを形成し、  該成形キャビティの前記胴部底のほぼ中心に当たる部分に樹脂流入口を設け、  前記出側排水管取付部の肉厚Ｔ出と、前記入側排水管取付部と前記胴部側壁との接続部の肉厚Ｔ入との比を、Ｔ出：Ｔ入＝１：２．５〜１：４．５となるように設定し、  前記成形キャビティ内に第１の樹脂原料を射出してスキン層を形成し、  次に、第２の樹脂原料を射出して、前記スキン層に覆われたコア層を形成することを特徴とする。
【発明の効果】
【００１７】
以上の説明から明らかなように、本発明によれば、樹脂スクラップや樹脂廃材を再生した原料を、比較的高い含有率（約１０％以上）でコア層として使用していながら、外観が良好な（コア層がスキン層に露出していない、ブレークスルーが発生しない）排水枡を提供できる。具体的には、胴部が開口部よりも小径化されて軽量化されているとともに、肉薄の出側排水管取付部を有する排水枡において、出側排水管取付部にブレークスルーの発生し難い排水枡およびその製造方法を提供できる。さらには、再生原料の含有率を上げることができるので、樹脂廃材の再利用の点で好ましいとともに原料費を安くすることができる。
【発明を実施するための形態】
【００１８】
以下、本発明の実施の形態について、図面を参照しながら詳細に説明する。
図１は、本発明の実施の形態に係る排水枡の構造を示す斜視図である。
図２（Ａ）は、図１のＺ方向断面図であり、図２（Ｂ）は、図２（Ａ）の一部を拡大して示す図である。
図３（Ａ）は、図１のＸ方向断面図であり、図３（Ｂ）は、図３（Ａ）の一部を拡大して示す図である。
図４は、図１の排水枡の肉厚を色分けして示す斜視図である。赤色が肉厚が厚い部分を、紫色が肉厚が薄い部分を表示する。
【００１９】
図１を参照して排水枡１の構造を再度詳細に説明する。この排水枡１は、内側に内空部３ａを画する周状の側壁３ｂ、及び、底３ｃを有する胴部３と、内空部３ａが上方に開口する、側壁３ｂの上方に接続された開口部５と、を有する。側壁３ｂの下部には、側方に突き出す、内空部３ａと連通する筒状の出側排水管取付部７が設けられている。さらに、この出側排水管取付部７より上方の位置には、胴部側壁３ｂから、出側排水管取付部７と平面視交差（直交する側方に突き出す、筒状の入側排水管取付部９Ａ及び９Ｂと、出側排水管取付部７と反対方向に突き出す、筒状の入側排水管取付部９Ｃが設けられている。
【００２０】
図２（Ａ）、図３（Ａ）に示すように、開口部５の内径ｄ３は胴部３の内径ｄ２よりも大きく、開口部５の内面と胴部３の内面との間には、排水管などの端面が当たる内段部４が形成される。また、開口部５の外径ｄ１は胴部３の外径ｄ４よりも大きく、開口部５の外面と胴部３の外面との間には、外段部６が形成される。このような構造とすることにより、前述のように胴部３の体積を減らして軽量化できる。胴部３の側壁３ａの肉厚は、サイズが１５０〜３５０（管呼び径）の排水枡の場合、５〜２０ｍｍ程度である。
【００２１】
各入側排水管取付部９は同じ径であり、その内面には取り付けられる排水管の端部が当たる段部９ａが形成されている。また、入側排水管取付部９は受口であり、成形用金型に管軸方向の抜き勾配が設けられているため、胴部３と同取付部９との接続部９Ｘ（段部９ａの根元の部分）の肉厚は厚い。図４では赤く着色されており、最も肉厚が厚くなっている。
【００２２】
この例の場合、出側排水管取付部７の呼び径は、入側排水管取付部９の呼び径と同じである。また、出側排水管取付部７は差口であり、接続される排水管の寸法との関連で外径の寸法規制が厳しく、流路を確保するため内径の寸法をできるだけ大きくする必要があるため、抜き勾配が小さく、根元部の肉厚が薄くなっている。図４では紫に着色されており、最も肉厚が薄くなっている。
ここで、出側排水管取付部７の肉厚Ｔ出（図３（Ｂ）参照）と、胴部３と入側排水管取付部９との接続部９Ｘの肉厚Ｔ入（図２（Ｂ）参照）との比は、Ｔ出：Ｔ入＝１：２．５〜１：４．５である。この数値設定の根拠及び実験例については後述する。
【００２３】
この排水枡１は、図２（Ｂ）、図３（Ｂ）に示すように、第１の樹脂からなる表裏スキン層１０と、第２の樹脂からなるコア層１１とが肉厚方向に３層積層された構造を有する。つまり、コア層１１の表面（内面及び外面）が表裏のスキン層１０で覆われている。第１の樹脂や第２の樹脂としては、ＰＶＣ、ＡＢＳ、ＰＰ、ＰＥ等の樹脂原料を使用することができる。特には、塩化ビニル樹脂からなる廃材やスクラップが大量に発生している現状や、排水枡に接続する排水管として硬質塩化ビニル樹脂が使用されていることを考慮すると、第２の樹脂として、硬質塩化ビニル樹脂の再生原料を使用し、第１の樹脂として、第２の樹脂と異なる硬質塩化ビニル樹脂を使用することが好ましい。
【００２４】
なお、再生原料には、添加剤として、熱安定剤、滑剤、加工助剤、顔料、可塑剤、充填剤、帯電防止剤、紫外線吸収剤、難燃剤などを添加することもできる。
【００２５】
また、第２の樹脂として、改質剤が含有された硬質塩化ビニル樹脂を使用することもできる。改質剤としては、摺動性改質剤、耐摩耗性改質剤、導電性改質剤、耐衝撃性改質剤などを使用できる。配合例としては、ポリ塩化ビニル１００重量部に対し、改質剤８〜１５重量部、安定剤０．５〜３重量部、滑剤０．１〜１．０重量部、加工助剤０．１〜１．０重量部、顔料０．１〜１．０重量部である。
【００２６】
次に、この排水枡１の製造方法を説明する。
図５は、排水枡の製造に使用される金型を説明する図である。
この排水枡１は、排水枡１の外形を成形する横割り構造の外金型２０と、排水枡１の内形を成形する内金型（コア）３０とで成形される。外金型２０と内金型３０を型締めすることにより成形キャビティＣが形成される。
【００２７】
外金型２０は、図５の左側に示す可動外金型２１と、図５の右側に示す固定外金型２２とを有する。固定外金型２２には、樹脂原料を射出するゲート２３が設けられている。ゲート２３の射出口２３ａは、枡１の底部３ｃの中央（胴部３の中央）に位置する。このように胴部３の中央に射出口２３ａを設けることにより、成形キャビティＣ内に原料をほぼ万遍なく行き渡らせることができる。また、射出口２３ａが底部３ｃの下面となり、外観を損ねないという利点もある。ゲート２３には、射出成形機のノズル２４が接続する。ノズル２４には、第１の樹脂用の流路２５と、第２の樹脂用の流路２６とが形成されている。
【００２８】
内金型３０は、開口部５及び胴部３の内形を成形する可動金型３１、各入側排水管取付部９の内径を成形する可動金型３２、３３、出側排水管取付部７の内形を成形する可動金型（図示されず）とを有する。
【００２９】
成形作業の一例を説明する。
まず、外金型２０と内金型３０とを型締めして成形キャビティＣを形成する。そして、ノズル２４の第１樹脂流路２５からゲート２３を通して成形キャビティＣ内に所定量の第１の樹脂を射出する。次に、ノズル２４の第２樹脂流路２６からゲート２３を通して所定量の第２の樹脂を射出し、成形キャビティＣを樹脂でほぼ充満させる。この際、先に射出された第１の樹脂原料のスキン層の間に第２の樹脂原料が入り込み、両方の樹脂原料がキャビティの末端まで満遍なく行き渡る。すなわち、第２の樹脂原料が第１の樹脂原料で覆われた状態でキャビティＣ内に行き渡るため、第２の樹脂原料が第１の樹脂原料の表面に露出することがない。これにより、第１の樹脂原料からなる表裏のスキン層１０と第２の樹脂原料からなるコア層１１とが形成される。
【００３０】
最後に、第１樹脂流路２５からゲートを通して、少量の第１の樹脂原料をキャビティＣ内に射出する。これにより、ゲート２３の射出口２３ａを第１の樹脂原料で覆うことができる。さらに、次のショットのために、ノズル２４の先端部に滞留している第２の樹脂原料を、第１の樹脂原料に置換することもできる。その後、内金型２０及び外金型３０を型開きする。
【００３１】
次に、出側排水管取付部７の肉厚Ｔ出（図３（Ｂ）参照）と、胴部３と入側排水管取付部９との接続部９Ｘの肉厚Ｔ入（図２（Ｂ）参照）との比を可変した場合に、成形した排水枡１の出側排水管取付部７にブレークスルーが発生するかどうかを調べた。
金型内に肉厚調整用スペーサをインサートし、出側排水管取付部７の肉厚Ｔ出と、胴部３と入側排水管取付部９との接続部の肉厚Ｔ入との比を、Ｔ出：Ｔ入＝１：２．３、１：３及び１：３．５となるように設定した。前述と同様の成形方法で、第２の原料の含有率を１０％として排水枡を作製し、出側排水管取付部７にブレークスルーが発生しているかどうかを目視により観察した。なお、実験した排水枡の具体的な寸法は、入出側管呼び径１００Ａ、Ｔ出＝３．６ｍｍ、出側排水管取付部７の長さ１１０ｍｍ、入側排水管取付部９の長さ６０ｍｍであった。
【００３２】
表１は、目視観察結果を示す表である。
【表１】
0004968744.tif 000002
この表からわかるように、Ｔ出：Ｔ入が、１：２．３の場合、ブレークスルーが観察され、１：３及び１：３．５の場合ブレークスルーは観察されなかった。この結果からは、ブレークスルーの発生しない出側排水管取付部７の肉厚Ｔ出と、胴部３と入側排水管取付部９との接続部の肉厚Ｔ入との適切な比は、Ｔ出：Ｔ入＝１：３〜１：３．５といえる。なお、この例の排水枡の構造上、出側排水管取付部７のＴ出が最も薄くなるため、Ｔ出よりＴ入が薄い構造（Ｔ出：Ｔ入＝１：０．５など）は存在しない。
【００３３】
次に、樹脂流動解析ＣＡＥ（解析ソフト名「moldflow」）を使用して、Ｔ出：Ｔ入＝１：１．２、１：２．３、１：２．５、１：３、１：３．５及び１：４．５とした場合の成形結果を解析した。なお、比が５以上の場合は、硬質塩化ビニルの成形技術上選択し得ないので、考慮しない。測定条件は試作条件と同じで、金型温度：２０〜４０℃、樹脂温度：１９０〜２００℃、充填速度：２０〜４０ｃｃ／ｓｅｃとした。Ｔ出：Ｔ入を前述の値に設定し、充填率を約１％ずつ増やして、ブレークスルーが発生する最大充填率を求めた。
【００３４】
図６は、ブレークスルー発生と、Ｔ出：Ｔ入及び第２の原料の充填率との関係を示すグラフである。縦軸は最大充填率（％）、横軸はＴ出：Ｔ入を表す。Ｔ出：Ｔ入を前述の値に設定し、充填率を約１％ずつ増やして、ブレークスルーが発生しない最大充填率をプロットした。例えば、Ｔ出：Ｔ入が１：１．２の場合、充填率が約９．３％まではブレークスルーが発生せず、それ以上とするとブレークスルーが発生する。
【００３５】
グラフからわかるように、Ｔ出：Ｔ入が１：１．２及び１：２．３の場合、ブレークスルーが発生しない最大充填率は約９％及び約７％であり、ほぼ同じ結果であるが、Ｔ出：Ｔ入が１：２．５となると、最大充填率は約１８％となり急激に約２倍に増加する。そして、比を大きくしても、ほぼ横ばいの傾向を示す。これは、表１に示した試作品のブレークスルー目視観察結果と同じ結果である。
【００３６】
つまり、Ｔ出：Ｔ入が１：２．３と１：２．５の間で樹脂の充填特性（流動特性）が大きく変わったといえる。そして、第２の原料の充填率が２倍程度に高くなってもブレークスルーが起こらなくなっている。したがって、Ｔ出：Ｔ入＝１：２．５〜１：４．５とすることにより、ブレークスルーの発生を抑えつつ第２の原料の充填率を約１８％程度に上げることができる。
【図面の簡単な説明】
【００３７】
【図１】本発明の実施の形態に係る排水枡の構造を示す斜視図である。
【図２】図２（Ａ）は、図１のＺ方向断面図であり、図２（Ｂ）は、図２（Ａ）の一部を拡大して示す図である。
【図３】図３（Ａ）は、図１のＸ方向断面図であり、図３（Ｂ）は、図３（Ａ）の一部を拡大して示す図である。
【図４】図１の排水枡の肉厚を色分けして示す斜視図である。
【図５】排水枡の製造に使用される金型を説明する図である。
【図６】ブレークスルー発生と、Ｔ出：Ｔ入及び第２の原料の充填率との関係を示すグラフである。
【符号の説明】
【００３８】
１  排水枡                          ３  胴部
５  開口部                          ４  内段部
６  外段部                          ７  出側排水管取付部
９  入側排水管取付部
１０  スキン層                      １１  コア層
【図１】
0004968744.tif 000003
【図２】
0004968744.tif 000004
【図３】
0004968744.tif 000005
【図５】
0004968744.tif 000006
【図６】
0004968744.tif 000007
【図４】
0004968744.tif 000008